(57)【要約】      （修正有）【課題】呼吸を容易にすると共に、呼吸中に放出される飛沫を阻止できる多目的マスクを提供する。【解決手段】耳紐部４の長さを伸縮自在に係止する係止構造５と、筒状部２の通気性を前面部３の通気性より高めた高通気構造のマスクとを有する。筒状部から、多くの吸気を取り込み、呼吸を楽にすることができる。また、耳紐部の長さを伸縮自在とすることにより、各種の形状の顔にフィットできる。【選択図】図１
0003229620.tif 000002
【実用新案登録請求の範囲】
【請求項１】
顔に当接される当接部（１）から、顔の前方に立上げられた筒状部（２）と、筒状部（２）の先端を被蔽する前面部（３）と、当接部（１）の両側から両耳の付根に巻回されて、顎に導かれる一対の耳紐部（４）と、耳紐部（４）の両端部を挿通して、耳紐部（４）の長さを伸縮自在に係止する係止構造（５）と、を有し、少なくとも筒状部（２）の通気が前面部（３）の通気より容易となる高通気構造からなり、その筒状部（２）から吸気を取り込む多目的マスク。
【請求項２】
請求項１に記載の多目的マスクにおいて、
前記筒状部（２）の横断面が円形、楕円形または、むすび形に形成され、その筒状部（２）は、メッシュからなる多目的マスク。
【請求項３】
請求項１または、請求項２に記載の多目的マスクにおいて、
前記耳紐部（４）は、前記当接部（１）の上縁内に導かれる第１挿通部（６）と、当接部（１）の下縁内に導かれる一対の第２挿通部（７）と、を環状に形成する多目的マスク。
【請求項４】
請求項１〜請求項３のいずれかに記載の多目的マスクにおいて、
前記筒状部（２）は、前記当接部（１）が、顔の前方に折り返された折り返し部（８）を形成すると共に、その折り返し部（８）の上縁が縫着されて、その内部に前記耳紐部（４）を挿通する耳紐挿通構造を形成し、その二重の折り返しにより、筒状部（２）の前面部（３）方向の座屈に対する剛性を与える多目的マスク。
【考案の詳細な説明】
【技術分野】
【０００１】
本考案は、主として、運動する場面や、声を発生する場面で使用する多目的マスクであって、その呼吸が楽になるものに関する。
【背景技術】
【０００２】
従来、運動中や、声を発する場面（例えば、スポーツ観戦、カラオケ等）における呼吸を容易にすると共に、飛沫の放出を抑制できる多目的に利用することができるマスクは提案されていなかった。
従来のマスクは通気性が悪く、特に、運動中には、マスクを装着している人の呼気により、マスク内に湿気と熱がこもり易く、マスクの内面が顔に張り付き易く、繰り返し使用していると、皮脂汚れや口臭等の異臭がマスク内に定着し、不快感なものとなる。
また、マスク内に湿気と熱がこもり易いため、特に、外気が高温になりやすい夏場のアウトドアでの運動では、熱中症にかかる危険性が高い。
【考案の概要】
【考案が解決しようとする課題】
【０００３】
そこで本考案は、これらの問題点を解決する多目的に利用することができるマスクを提供することを課題とする。
【課題を解決するための手段】
【０００４】
請求項１に記載の本考案は、顔に当接される当接部１から、顔の前方に立上げられた筒状部２と、筒状部２の先端を被蔽する前面部３と、当接部１の両側から両耳の付根に巻回されて、顎に導かれる一対の耳紐部４と、耳紐部４の両端部を挿通して、耳紐部４の長さを伸縮自在に係止する係止構造５と、を有し、少なくとも筒状部２の通気が前面部３の通気より容易となる高通気構造からなり、その筒状部２から吸気を取り込む多目的マスクである。
【０００５】
請求項２に記載の本考案は、請求項１に記載の多目的マスクにおいて、
前記筒状部２の横断面が円形、楕円形または、むすび形に形成され、その筒状部２は、メッシュからなる多目的マスクである。
【０００６】
請求項３に記載の本考案は、請求項１または、請求項２に記載の多目的マスクにおいて、
前記耳紐部４は、前記当接部１の上縁内に導かれる第１挿通部６と、当接部１の下縁内に導かれる一対の第２挿通部７と、を環状に形成する多目的マスクである。
【０００７】
請求項４に記載の本考案は、請求項１〜請求項３のいずれかに記載の多目的マスクにおいて、前記筒状部２は、前記当接部１が、顔の前方に折り返された折り返し部８を形成すると共に、その折り返し部８の上縁が縫着されて、その内部に前記耳紐部４を挿通する耳紐挿通構造を形成し、その二重の折り返しにより、筒状部２の前面部３方向の座屈に対する剛性を与える多目的マスクである。
【考案の効果】
【０００８】
請求項１に記載の考案は、耳紐部４の長さを伸縮自在に係止する係止構造５と、筒状部２の通気性を高めた高通気構造とを有するので、運動等の最中であっても、筒状部２から、従来よりも多くの吸気を取り込み、呼吸を楽にすることができる。ここに、高通気構造とは、筒状部２の通気量を前面部３の通気量より大きくする手段をいう。筒状部２の面積を前面部３の面積より大きくすること、筒状部２の生地の厚みを前面部３のそれより薄くすること、筒状部２のメッシュの大きさを、前面部３のメッシュの大きさより大きくすること、その他を含む。
また、耳紐部４の長さを伸縮自在に係止する係止構造５とすることにより、各種の形状の顔にもフィットする多目的マスクを提供できる。それと共に係止構造５により、運動等をしている最中にマスクがずれたり、外れたりすることがない。
さらに、筒状部２を有することにより、顔面には当接部１のみが接する。これにより、マスクの前面部３が顔面に張り付くことがないため、繰り返し使用しても皮脂汚れや口臭などの異臭が定着し難くなり、清潔性が保たれる。
【０００９】
請求項２に記載の考案は、筒状部２が、メッシュからなるため、さらに多くの吸気を取り込み、呼吸を楽にすることができる。
【００１０】
請求項３に記載の考案は、耳紐部４の第１挿通部６と、一対の第２挿通部７とにより、耳紐挿通構造を環状に形成したので、構造が簡単で、各種形状の顔にフィットする多目的マスクを提供できる。
【００１１】
請求項４に記載の考案は、折り返し部８の上縁が縫着されて、耳紐挿通構造を形成し、その折り返しにより、筒状部２に剛性を与えて、筒状の形状を保持し、吸気を楽にする。
それとともに、筒状部２に剛性を与えることで、よりマスクの前面部３が顔面に張り付き難くなるため、皮脂汚れや口臭などの異臭が定着し難くなり、清潔性が保たれる。
【図面の簡単な説明】
【００１２】
【図１】本考案の第１実施例の多目的マスクの斜視図であって、その前面側から見たもの。
【図２】同マスクの斜視図であって、裏面側からみたもの。
【図３】同マスクの平面図。
【図４】同マスクの断面図で折り返し部８の説明図であって、（Ａ）はその折り返し状態を示す説明図、（Ｂ）はその縫着９の説明図。
【図５】本考案の第２実施例の多目的マスクの斜視図（Ａ）及び断面図（Ｂ）。
【図６】同考案の第３実施例の多目的マスクの斜視図。
【図７】同考案の第４実施例の多目的マスクの斜視図。
【考案を実施するための形態】
【００１３】
次に、図面に基づいて本考案の実施の形態につき説明する。
図１〜図４は本考案の第１実施例を示し、図１はその前面側斜視図、図２が裏面側斜視図、図３は平面図、図４はその筒状部２に形成された折り返し部８の説明図である。
【実施例１】
【００１４】
この多目的マスクは、図１及び図２に示す如く、顔への当接部１から前方に立ち上げられた筒状部２と、筒状部２の一方の先端を一体に被蔽する前面部３と、当接部１の両側から両耳の付根に懸回されて、両端が顎に導かれる一対の耳紐部４と、耳紐部４の長さを伸縮自在に調整する係止構造５とを有する。そして、少なくとも筒状部２の通気が前面部３の通気より容易となる高通気構造からなり、その筒状部２から吸気を容易に取り込むものである。
この例は、前面部３と筒状部２とがメッシュ構造からなり、一例として洗濯中の洗濯物を収納するメッシュを利用することができる。そして、筒状部２はその根元部（筒状部２の他方側）に図４に示す折り返し部８が形成され、その縁部が縫着９によって環状に形成されている。
【００１５】
この折り返し部８は、図４（Ａ）の如く、筒状部２の根元部をこの例では二重に折り返し、その折り返し縁に縫着９を形成したものである。この縫着９は、筒状部２の全周に形成されても、部分的に断続的に形成してもよく、その内部に耳紐部４の挿通部を形成する。
この折り返し部８は、その幅Ｔを変えることで、折り返しの幅Ｔの分、筒状部２に剛性を与えることができる。その幅Ｔは、少なくても、その内部に耳紐部４を挿通することができるようにする。また、筒状部２の折り返し回数は、一重でもよいし、二重以上としてもよい。
折り返しの方向は、各図に示す通り、外側に向けて折り返し部８を形成することが最適となるが、内側に向けて折り返し、筒状部２の内側に折り返された折り返し部８内に耳紐部４を挿通してもよい。
この例では、第２挿通部７の当接部１に沿う第１挿通部６と、当接部１の下部に沿う一対の第２挿通部とを有する。
また、この例では、前面部３の内面に図示しない飛沫捕捉布１０（図５Ｂ参照）が係止布１１を介して着脱自在に取り付けられる。
飛沫補足布１０の固定は、係止布１１によるものに限らない。例えば、前面部３の内側に図示しないメッシュ地の二重底を形成し、その二重底の間の空間が開閉できるように前面部３又は図示しない二重底の面（若しくは、それらをつなぐ側面）にスライドファスナを取付け、そのスライドファスナ部分から飛沫補足布１０を前面部３と図示しない二重底の間に挿入する構造をとることもできる。
少なくとも筒状部２が洗濯ネットのようなメッシュ地からなる多目的マスクである場合、そのマスクを使用した後、飛沫補足布１０をマスクの内部に配置した状態で、そのまま洗濯をすることができる。
なお、飛沫捕捉布１０は必ずしも必要なものではない。
【００１６】
次に、筒状部２の折り返し部８に挿通された耳紐部４は、その両側が折り返し部８の第１挿通部６及び第２挿通部７から、折り返し部８の後面側に導かれ、その両端部が係止構造５に挿通される。そして、一対の耳紐部４が両耳に係止され、次いで、係止構造５を上下動させることにより、当接部１を多くの顔の表面にフィットする（特に、鼻、口、あごを覆う）ことができる。
即ち、係止構造の位置を移動して、その長さを調節することにより、個人差のある顔の形状にマスクをフィットすることができる。
【００１７】
この係止構造５は、直径方向に孔が形成され、そこに耳紐部４の両端部が同時に挿通される。そして、係止構造５を図３において上下方向に移動することにより、耳紐部４の突出長さを調整する。即ち、耳紐部４と係止構造５の穴との接触抵抗により、係止構造５の位置を固定し、耳紐部４の突出量を調整することができるものである。
この係止構造５は耳紐部４から取り外すことができる。それにより、耳紐部４を各挿通部６、７から抜き取ることができ、新しい耳紐部４と取り換えることができる。
また、第１挿通部６は当接部１の上縁部に沿って袋状に形成され、第２挿通部７は図２に示す如く、当接部１の下縁部に沿って二ヶ所に耳紐部４の挿通部７が配置されている。
なお、耳紐部４の挿通部は実施例１（図１〜図４に記載の構造）に限定されるものでは勿論ない。例えば、この実施例１では、耳紐部４を挿通する挿通部について、筒状部２の一部を折り返した折り返し部８により形成したが、これに替えて、別体のメッシュ生地を環状に筒状部２の外周または内周に縫着９し、その筒状部２とその別体のメッシュ生地との間に耳紐部４を挿通する挿通部を形成してもよい。
実施例１のような構成にすることにより、空気の取入れと人体から排出される呼気との交換を容易にすることができ、筒状部２内に熱がこもり難い構造となる。
【実施例２】
【００１８】
次に、図５は本考案の第２実施例の多目的マスクの斜視図（Ａ）及び断面図（Ｂ）である。
この例では、折り返し部８が筒状部２の上縁部（前面部３の近傍）まで達している。また、前面部３の内側には係止布１１を介して飛沫捕捉布１０が配置されている。なお、前面部３は、図５（Ｂ）に示す如く、外方に向けて弧状に突出して形成することができる。
この例が、実施例１と大きく異なる点は、口を覆う部分（第１被覆部２ａ）と鼻を覆う部分（第２被覆部２ｂ）が分かれている点にある。
口を覆う第１被覆部２ａの構成は、略実施例１と同じである。
鼻を覆う第２被覆部２ｂは、第１被覆部２ａの第１挿通部６が形成されている側の外周に隣接して形成されている。
第２挿通部７側の折り返し部８は、実施例１と同様に、当接部１側の第１折り返し部８ａ、前面部３側の第２折り返し部８ｂともに縫着９により、固定されている。
第１挿通部６側の折り返し部８では、第２折り返し部８ｂで筒状部２に縫着９されている部分を起点として、折り返し部８の最外側の生地が拡開する。これにより、第２被覆部２ｂの当接部１が鼻の形状にフィットする。第２被覆部２ｂは筒状部２と一体に形成されるものであり、筒状部２と同じメッシュ地で形成されているため、鼻呼吸が阻害されることはない。
このように、口を覆う第１被覆部２ａと鼻を覆う第２被覆部２ｂを分けて形成することで、実施例１よりも熱がこもりにくい構造となる。また、これらを筒状部２により、一体として形成することにより、容易に熱がこもりにくい構造の運動用マスクを形成することができる。口を覆う部分と鼻を覆う部分は、別体として形成することも可能である。
【実施例３】
【００１９】
次に、図６は本考案の第３実施例の多目的マスクの斜視図であり、この例は筒状部２及び前面部３の平面形状が楕円形である。
【実施例４】
【００２０】
次に、図７は本考案の第４実施例の多目的マスクの斜視図であり、この例が図３のそれと異なる点は、筒状部２の横断面が略三角のおむすび型であると共に、前面部３自体も同様におむすび型である。
【変形例】
【００２１】
本考案は、上記実施例に限定されるものでは勿論なく、本考案の実用新案登録請求の範囲の構成を有するもの全てに及ぶと共に、その均等範囲にも及ぶものである。
また、図１において、第２挿通部７と前面部３の面積比は任意に設定できる。例えば、前面部３の表面積を筒状部２のそれより小さくすることができる。
上記実施例において、縫着９は、熱溶着や接着剤等の接着の固定手段により、置き換えることができる。
【産業上の利用可能性】
【００２２】
この多目的マスクは、主として、運動用として使用するのに最適なものであるが、その他の用途として用いることも可能である。一例として、スポーツ観戦時のマスクとして使用することもできる。例えば、サポーターが競技会場において、前面部３に応援したい国の略文字を刺繍したり、応援したい球団のロゴを縫着して、声出し応援を行うときに使用することができる。また、前面部３に２０２０や２０２１の文字を青色刺繍をすることにより、時代背景や感染者や医療従事者への応援に使用することもできる。
さらに、仮装の用途にも使用できる。例えば、前面部３に赤色のスライドファスナで開口を作り、その開口から舌を出したりすることができる。
マスクとして使用しない場合は、飴や簡単な補給食を入れておく小物入れとして使用することができる。
【符号の説明】
【００２３】
１  当接部
２  筒状部
２ａ  第１被覆部
２ｂ  第２被覆部
３  前面部
４  耳紐部
５  係止構造
６  第１挿通部
７  第２挿通部
８  折り返し部
８ａ  第１折り返し部
８ｂ  第２折り返し部
９  縫着
１０  飛沫捕捉布
１１  係止布
【図１】
0003229620.tif 000003
【図２】
0003229620.tif 000004
【図３】
0003229620.tif 000005
【図４】
0003229620.tif 000006
【図５】
0003229620.tif 000007
【図６】
0003229620.tif 000008
【図７】
0003229620.tif 000009